(57)【要約】      （修正有）【課題】乗り物等の室内に取付可能な容器保持兼用のエアベントユニットに関し、容器保持部を設ける専用スペースを要せず、飲料用の容器を安定保持可能なエアベント兼用のユニットを提供する。【解決手段】空調装置の吹出口２１に連通するベント部と、ベント部に連通し、容器を保持可能な容器保持部７０とを備え、ベント部を室内側に向けて吹出口に取り付けたベント部取付状態において、容器保持部を吹出口の内部に収納し、ベント部取付状態からエアベントユニット１０を吹出口から取り外し、ベント部を吹出口に向けて取り付けた容器保持部取付状態において、容器保持部を室内側に向けて突出させ、このとき、容器保持部を吹出口の内部に向かって押し込み不能に保持している。【選択図】図１
2019006261.tif 000002
【特許請求の範囲】
【請求項１】
空調装置の吹出口に連通するベント部と、
前記ベント部に連通し、容器を保持可能な容器保持部と、
を備えた容器保持兼用のエアベントユニットにおいて、
前記ベント部を室内側に向けて前記吹出口に取り付けたベント部取付状態において、前記容器保持部を前記吹出口の内部に収納し、
前記ベント部取付状態から前記エアベントユニットを前記吹出口から取り外し、前記ベント部を前記吹出口に向けて取り付けた容器保持部取付状態において、前記容器保持部を室内側に向けて突出させ、このとき、前記容器保持部を前記吹出口の内部に向かって押し込み不能に保持している、
ことを特徴とする容器保持兼用のエアベントユニット。
【請求項２】
前記エアベントユニットは、
前記吹出口の内部に収納する中空なケースと、
前記ケースに対し着脱可能であり、前記ベント部及び前記容器保持部を備えたユニット本体と、
から構成し、
前記ケースと前記ユニット本体との間には、
ガイド突起と、
前記ガイド突起に嵌り合い、前記ユニット本体の着脱方向に沿って延びるガイド溝と、
を設けている、
ことを特徴とする請求項１に記載の容器保持兼用のエアベントユニット。
【請求項３】
前記ガイド突起及び前記ガイド溝は、
前記ケースの左右方向若しくは上下方向の少なくとも一方の内側面と、当該内側面と対向する前記ユニット本体の左右方向若しくは上下方向の少なくとも一方の外側面とにそれぞれ設けている、
ことを特徴とする請求項２に記載の容器保持兼用のエアベントユニット。
【請求項４】
前記容器保持部には、
前記容器を挿入可能な容器挿入穴を備え、
前記ベント部を前記吹出口に向けて取り付ける際に、前記容器挿入穴が下方を向いた状態において、前記ガイド溝に対する前記ガイド突起のはまり込みを阻止する誤組付け防止手段を設けている、
ことを特徴とする請求項２又は請求項３に記載の容器保持兼用のエアベントユニット。
【請求項５】
前記ガイド突起及び前記ガイド溝は、
前記ケースの左右方向若しくは上下方向に対向する内側面と、当該対向する内側面と対向する前記ユニット本体の左右方向若しくは上下方向に対向する外側面とにそれぞれ設けられ、
前記誤組付け防止手段は、
対向する前記ガイド溝の溝幅、若しくは上下方向の高さ位置、或いは左右方向の位置を互いに異ならせることで構成している、
ことを特徴とする請求項４に記載の容器保持兼用のエアベントユニット。
【請求項６】
前記ケースの内部には、前記ユニット本体の前記ベント部の少なくとも一部がはまり込むようにし、
前記容器保持部取付状態において、前記容器保持部を前記吹出口の内部に向かって押し込み不能とする押込み阻止手段は、
前記ケースの内部と、当該内部にはまり込む前記ベント部の前記一部との間に位置し、
前記ベント部の前記一部を前記ケースの内部にはめ込んだ際に互いに当接し、
前記ベント部の前記一部に設けた第１当接部と、
前記ケースの内部に設けた第２当接部と、
から構成した、
ことを特徴とする請求項２〜５のいずれか１項に記載の容器保持兼用のエアベントユニット。
【請求項７】
前記第１当接部は、
前記ガイド突起と前記ガイド溝とのいずれか一方に設け、
前記ガイド突起と前記ガイド溝とのいずれか他方には、
前記第１当接部と当接する前記第２当接部を設けている、
ことを特徴とする請求項６に記載の容器保持兼用のエアベントユニット。
【請求項８】
前記第１当接部は、
前記ガイド突起から構成し、
前記第２当接部は、
前記ガイド溝から構成するとともに、
当該ガイド溝への前記ガイド突起の挿入方向の終端部に位置させている、
ことを特徴とする請求項７に記載の容器保持兼用のエアベントユニット。
【請求項９】
前記容器保持部には、
前記容器を挿入可能な容器挿入穴と、
前記容器挿入穴から挿入された前記容器の底を支持する容器支持部とを有し、
前記ベント部取付状態においては、前記容器挿入穴を下方に向けて、前記容器保持部を前記吹出口の内部に収納し、
前記エアベントユニットを前記吹出口から取り外した状態において、前記エアベントユニットを上下方向に反転し、前記容器挿入穴を上方に向けた状態において、前記ベント部を前記吹出口に向けて取り付ける、
ことを特徴とする請求項１に記載の容器保持兼用のエアベントユニット。
【請求項１０】
前記容器保持部には、
前記容器を挿入可能な容器挿入穴と、
前記容器挿入穴から挿入された前記容器の底を支持する容器支持部とを有し、
前記ベント部取付状態においては、前記容器挿入穴を上方に向けて、前記容器保持部を前記吹出口の内部に収納し、
前記エアベントユニットを前記吹出口から取り外した状態において、前記エアベントユニットを水平方向に反転し、前記容器挿入穴を上方に向けた状態において、前記ベント部を前記吹出口に向けて取り付ける、
ことを特徴とする請求項１に記載の容器保持兼用のエアベントユニット。
【発明の詳細な説明】
【技術分野】
【０００１】
この発明は、例えば乗り物等の室内に取付可能な容器保持兼用のエアベントユニットに関し、容器保持部を設ける専用スペースを要せず、飲料用の容器を安定保持可能なエアベント兼用のユニットを提供することができるようにしたものである。
【背景技術】
【０００２】
従来、レジスタケースの両側に、飲料を収納可能なレジスタバレルのスライドアームをガイドするガイド溝が前後方向へ形成した「自動車用レジスタ」が知られている（特許文献１の段落番号「０００６」及び図１参照）。
上記した従来のレジスタバレルは、両側の側面に突設されたピンによりスライドアームの先端部分に上下に反転可能に枢着されている（特許文献１の段落番号「０００７」及び「００１０」、並びに図１及び図３参照）。
また、従来、レジスタグリルと、缶を挿入可能な穿孔を有する容器を、吹出し口に収納し、缶を挿入する際に引き出すことが可能な「自動車の保温容器」が知られている（例えば特許文献２の明細書の３頁の５〜１５行目、並びに第１図及び第２図参照）。
【先行技術文献】
【特許文献】
【０００３】
【特許文献１】特開平8-58455号公報
【特許文献２】実開昭63-201837号公報
【発明の概要】
【発明が解決しようとする課題】
【０００４】
しかし、上記した従来の「自動車用レジスタ」では、レジスタバレルの重量をスライドアームが受けることになるため、引き出し状態での使用はスライドアームに負荷がかかるといった問題点があった。
また、上記した従来の「自動車の保温容器」では、引き出し状態から収納可能であるため、誤って収納されると容器が倒れるおそれがあるといった問題点があった。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、容器保持部を設ける専用スペースを要せず、飲料用の容器を安定保持可能なエアベント兼用のユニットを提供することができるようにしたものである。
これに加え、請求項１に記載の発明は、容器保持部取付状態において、容器保持部を吹出口の内部に向かって押し込み不能に保持することで、誤って収納され、容器保持部に保持されている飲料用の容器が倒れるのを防止することができるようにしたものである。
【０００６】
（請求項２）
請求項２に記載の発明は、上記した請求項１に記載の発明の目的に加え、次の点を目的とする。
すなわち、請求項２に記載の発明は、ケースとユニット本体との間に設けたガイド突起とガイド溝とにより、ケースに対してユニット本体の容器保持部を安定保持することができるようにしたものである。
【０００７】
（請求項３）
請求項３に記載の発明は、上記した請求項２に記載の発明の目的に加え、次の点を目的とする。
すなわち、請求項３に記載の発明は、ガイド突起及びガイド溝を、ケースの内側面と、当該内側面と対向するユニット本体の外側面とにそれぞれ設けることで、ケースに対してユニット本体の容器保持部を安定保持することができるようにしたものである。
【０００８】
（請求項４）
請求項４に記載の発明は、上記した請求項２又は請求項３に記載の発明の目的に加え、次の点を目的とする。
すなわち、請求項４に記載の発明は、ベント部を吹出口に向けて取り付ける際に、飲料用の容器を挿入可能な容器挿入穴が下方を向いた状態において、ガイド溝に対するガイド突起のはまり込みを阻止することで、誤組み付けを防止することができるようにしたものである。
【０００９】
（請求項５）
請求項５に記載の発明は、上記した請求項４に記載の発明の目的に加え、次の点を目的とする。
すなわち、請求項５に記載の発明は、対向するガイド溝の溝幅、若しくは上下方向の高さ位置、或いは左右方向の位置を互いに異ならせることで、誤組み付けを防止することができるようにしたものである。
【００１０】
（請求項６）
請求項６に記載の発明は、上記した請求項２〜５のいずれか１項に記載の発明の目的に加え、次の点を目的とする。
すなわち、請求項６に記載の発明は、ケースの内部と、当該内部にはまり込むベント部の一部との間に、第１当接部と、当該第１当接部に当接する第２当接部とをそれぞれに設けることで、容器保持部取付状態において、容器保持部を吹出口の内部に向かって押し込むのを防止することができるようにしたものである。
【００１１】
（請求項７）
請求項７に記載の発明は、上記した請求項６に記載の発明の目的に加え、次の点を目的とする。
すなわち、請求項７に記載の発明は、第１当接部と、当該第１当接部に当接する第２当接部とを、ガイド突起とガイド溝とにそれぞれ設けることで、容器保持部取付状態において、容器保持部を吹出口の内部に向かって押し込むのを防止することができるようにしたものである。
【００１２】
（請求項８）
請求項８に記載の発明は、上記した請求項７に記載の発明の目的に加え、次の点を目的とする。
すなわち、請求項８に記載の発明は、第１当接部をガイド突起から構成し、第２当接部をガイド溝から構成するとともに、当該ガイド溝への前記ガイド突起の挿入方向の終端部に位置させることで、容器保持部取付状態において、容器保持部を吹出口の内部に向かって押し込むのを防止することができるようにしたものである。
【００１３】
（請求項９）
請求項９に記載の発明は、上記した請求項１に記載の発明の目的に加え、次の点を目的とする。
すなわち、請求項９に記載の発明は、エアベントユニットを吹出口から取り外した状態において、エアベントユニットを上下方向に反転し、容器挿入穴を上方に向けた状態において、ベント部を吹出口に向けて取り付けることができるようにしたものである。
【００１４】
（請求項１０）
請求項１０に記載の発明は、上記した請求項１に記載の発明の目的に加え、次の点を目的とする。
すなわち、請求項１０に記載の発明は、エアベントユニットを吹出口から取り外した状態において、エアベントユニットを水平方向に反転し、容器挿入穴を上方に向けた状態において、ベント部を前記吹出口に向けて取り付けることができるようにしたものである。
【課題を解決するための手段】
【００１５】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１６】
（請求項１）
請求項１に記載の発明は、次の点を特徴とする。
第１に、容器保持兼用のエアベントユニット(10)は、例えば図１〜図４に示すように、次の構成を備える。
（１）ベント部(60)
ベント部(60)は、例えば図２に示すように、空調装置（図示せず）の吹出口(21)に連通するものである。
【００１７】
（２）容器保持部(70)
容器保持部(70)は、例えば図３５に示すように、ベント部(60)に連通し、容器（図示せず）を保持可能なものである。
【００１８】
第２に、ベント部(60)を室内側に向けて吹出口(21)に取り付けたベント部取付状態（例えば図２参照）において、例えば図３０に示すように、容器保持部(70)を吹出口(21)の内部に収納する。
【００１９】
第３に、ベント部取付状態（例えば図２参照）からエアベントユニット(10)を吹出口(21)から取り外し（例えば図３参照）、ベント部(60)を吹出口(21)に向けて取り付けた容器保持部取付状態（例えば図４参照）において、容器保持部(70)を室内側に向けて突出させ、このとき、容器保持部(70)を吹出口(21)の内部に向かって押し込み不能に保持している。
【００２０】
（請求項２）
請求項２に記載の発明は、上記した請求項１に記載の発明の特徴点に加え、次の点を特徴とする。
第１に、エアベントユニット(10)は、例えば図１及び図３に示すように、次の構成から構成する。
（１）ケース(30)
ケース(30)は、例えば図１及び図３に示すように、吹出口(21)の内部に収納する中空なものである。
【００２１】
（２）ユニット本体(40)
ユニット本体(40)は、例えば図２及び図４に示すように、ケース(30)に対し着脱可能であり、例えば図１及び図３に示すように、ベント部(60)及び容器保持部(70)を備えたものである。
【００２２】
第２に、ケース(30)とユニット本体(40)との間には、例えば図１〜図４に示すように、次の構成を設けている。
（３）ガイド突起(83,84)
（４）ガイド溝(81,82)
ガイド溝(81,82)は、例えば図２及び図４に示すように、ガイド突起(83,84)に嵌り合い、例えば図９に示すように、ユニット本体(40)の着脱方向に沿って延びるものである。
【００２３】
（請求項３）
請求項３に記載の発明は、上記した請求項２に記載の発明の特徴点に加え、次の点を特徴とする。
すなわち、ガイド突起(83,84)及びガイド溝(81,82)は、例えば図１〜図４に示すように、ケース(30)の左右方向若しくは上下方向の少なくとも一方の内側面と、当該内側面と対向するユニット本体(40)の左右方向若しくは上下方向の少なくとも一方の外側面とにそれぞれ設けている。
【００２４】
なお、図１〜図４０に示す第１の実施の形態において、ガイド溝(81,82)は、図１２に示すように、ケース(30)に位置し、左側壁(100)の内側面と、右側壁(101)の内側面とに対向させて２個設けている。
また、第１の実施の形態において、ガイド突起(83,84)は、図１９に示すように、ユニット本体(40)に位置し、第１側面(110)の外側面と、第２側面(111)の外側面とに背向させて２個設けている。
【００２５】
さらに、図６６に示す第３の実施の形態においては、左右方向の一方に設けた実施の形態を、図６７に示す第４の実施の形態及び図６８に示す第５の実施の形態では、上下方向の一方に設けた実施の形態をそれぞれ例示している。
【００２６】
（請求項４）
請求項４に記載の発明は、上記した請求項２又は請求項３に記載の発明の特徴点に加え、次の点を特徴とする。
第１に、容器保持部(70)には、例えば図１に示すように、容器（図示せず）を挿入可能な容器挿入穴(71)を備える。
【００２７】
第２に、例えば図１〜図４に示すように、ベント部(60)を吹出口(21)に向けて取り付ける際に、容器挿入穴(71)が下方を向いた状態において、ガイド溝(81,82)に対するガイド突起(83,84)のはまり込みを阻止する誤組付け防止手段(80)を設けている。
【００２８】
（請求項５）
請求項５に記載の発明は、上記した請求項４に記載の発明の特徴点に加え、次の点を特徴とする。
第１に、ガイド突起(83,84)及びガイド溝(81,82)は、例えば図１〜図４に示すように、ケース(30)の左右方向若しくは上下方向に対向する内側面と、当該対向する内側面と対向するユニット本体(40)の左右方向若しくは上下方向に対向する外側面とにそれぞれ設けられている。
【００２９】
なお、図１〜図４０に示す第１の実施の形態において、ガイド溝(81,82)は、図１２に示すように、ケース(30)に位置し、左側壁(100)の内側面と、右側壁(101)の内側面とに対向させて２個設けられている。
また、第１の実施の形態において、ガイド突起(83,84)は、図１９に示すように、ユニット本体(40)に位置し、第１側面(110)の外側面と、第２側面(111)の外側面とに背向させて２個設けられている。
【００３０】
第２に、誤組付け防止手段(80)は、例えば図１２に示すように、対向するガイド溝(81,82)の溝幅、若しくは上下方向の高さ位置、或いは左右方向の位置を互いに異ならせることで構成している。
なお、第１の実施の形態において、ガイド溝(81,82)は、図１１〜図１３に示すように、ケース(30)に位置し、ガイド溝(81,82)の溝幅を異ならせている。
また、図６９に示す第６の実施の形態及び図７０に示す第７の実施の形態においては、上下方向の高さ位置を異ならせた実施の形態を、図７１に示す第８の実施の形態及び図７２に示す第９の実施の形態では、左右方向の位置を異ならせた実施の形態をそれぞれ例示している。
【００３１】
（請求項６）
請求項６に記載の発明は、上記した請求項２〜５のいずれか１項に記載の発明の特徴点に加え、次の点を特徴とする。
第１に、ケース(30)の内部には、例えば図３９及び図４０に示すように、ユニット本体(40)のベント部(60)の少なくとも一部がはまり込むようにしている。
【００３２】
第２に、容器保持部取付状態（例えば図４参照）において、容器保持部(70)を吹出口(21)の内部に向かって押し込み不能とする押込み阻止手段は、例えば図３９及び図４０に示すように、ケース(30)の内部と、当該内部にはまり込むベント部(60)の一部との間に位置し、ベント部(60)の一部をケース(30)の内部にはめ込んだ際に互いに当接し、ベント部(60)の一部に設けた第１当接部（例えばガイド突起83,84の一端部）と、ケース(30)の内部に設けた第２当接部（例えばガイド突起83,84の一端部と当接するガイド溝81,82の終端部81a,82a）と、から構成した。
【００３３】
なお、図１〜図４０に示す第１の実施の形態において、第１当接部としてガイド突起(83,84)の一端部を、第２当接部として、ガイド突起(83,84)の一端部と当接するガイド溝(81,82)の終端部(81a,82a)をそれぞれ例示したが、これに限定されず、図示しないが、ケース(30)の内部に突起を設け、当該突起にユニット本体(40)が当接するようにしてもよい。
【００３４】
（請求項７）
請求項７に記載の発明は、上記した請求項６に記載の発明の特徴点に加え、次の点を特徴とする。
第１に、第１当接部は、例えば図３９及び図４０に示すように、ガイド突起(83,84)とガイド溝(81,82)とのいずれか一方に設けている。
【００３５】
第２に、ガイド突起(83,84)とガイド溝(81,82)とのいずれか他方には、例えば図３９及び図４０に示すように、第１当接部と当接する第２当接部を設けている。
なお、図１〜図４０に示す第１の実施の形態においては、第１当接部としてのガイド突起(83,84)の一端部が、第２当接部として、ガイド突起(83,84)の一端部と当接するガイド溝(81,82)の終端部(81a,82a)に当接するようにしている。
【００３６】
（請求項８）
請求項８に記載の発明は、上記した請求項７に記載の発明の特徴点に加え、次の点を特徴とする。
第１に、第１当接部は、例えば図３９及び図４０に示すように、ガイド突起(83,84)から構成する。
【００３７】
第２に、第２当接部は、例えば図３９及び図４０に示すように、ガイド溝(81,82)から構成するとともに、当該ガイド溝(81,82)へのガイド突起(83,84)の挿入方向の終端部（例えばガイド溝81,82の終端部81a,82a）に位置させている。
【００３８】
（請求項９）
請求項９に記載の発明は、上記した請求項１に記載の発明の特徴点に加え、次の点を特徴とする。
第１に、容器保持部(70)には、例えば図１に示すように、次の構成を有する。
（１）容器挿入穴(71)
容器挿入穴(71)は、容器（図示せず）を挿入可能なものである。
（２）容器支持部(54)
容器支持部(54)は、容器挿入穴(71)から挿入された容器の底を支持するものである。
【００３９】
第２に、ベント部取付状態（例えば図２参照）においては、例えば図３０に示すように、容器挿入穴(71)を下方に向けて、容器保持部(70)を吹出口(21)の内部に収納する。
第３に、エアベントユニット（例えばユニット本体40）を吹出口(21)から取り外した状態（例えば図３参照）において、エアベントユニット（例えばユニット本体40）を上下方向に反転し、容器挿入穴(71)を上方に向けた状態（例えば図１参照）において、例えば図４に示すように、ベント部(60)を吹出口(21)に向けて取り付ける。
【００４０】
（請求項１０）
請求項１０に記載の発明は、上記した請求項１に記載の発明の特徴点に加え、次の点を特徴とする。
第１に、容器保持部(70)には、例えば図４１〜図４４に示すように、次の構成を有する。
（１）容器挿入穴(71)
容器挿入穴(71)は、容器を挿入可能なものである。
（２）容器支持部(234)
容器支持部(234)は、容器挿入穴(71)から挿入された容器の底を支持するものである。
【００４１】
第２に、ベント部取付状態（例えば図４２参照）においては、容器挿入穴(71)を上方に向けて、容器保持部(70)を吹出口(21)の内部に収納する。
第３に、エアベントユニット（例えばユニット本体220）を吹出口(21)から取り外した状態（例えば図４３参照）において、エアベントユニット（例えばユニット本体220）を水平方向に反転し、容器挿入穴(71)を上方に向けた状態（例えば図４１参照）において、例えば図４４に示すように、ベント部(60)を吹出口(21)に向けて取り付ける。
【発明の効果】
【００４２】
本発明は、以上のように構成されているので、以下に記載されるような効果を奏する。
（請求項１）
請求項１に記載の発明によれば、次のような効果を奏する。
すなわち、請求項１に記載の発明によれば、容器保持部を設ける専用スペースを要せず、飲料用の容器を安定保持可能なエアベント兼用のユニットを提供することができる。
これに加え、請求項１に記載の発明によれば、容器保持部取付状態において、容器保持部を吹出口の内部に向かって押し込み不能に保持することで、誤って収納され、容器保持部に保持されている飲料用の容器が倒れるのを防止することができる。
【００４３】
（請求項２）
請求項２に記載の発明によれば、上記した請求項１に記載の発明の効果に加え、次のような効果を奏する。
すなわち、請求項２に記載の発明によれば、ケースとユニット本体との間に設けたガイド突起とガイド溝とにより、ケースに対してユニット本体の容器保持部を安定保持することができる。
【００４４】
（請求項３）
請求項３に記載の発明によれば、上記した請求項２に記載の発明の効果に加え、次のような効果を奏する。
すなわち、請求項３に記載の発明によれば、ガイド突起及びガイド溝を、ケースの内側面と、当該内側面と対向するユニット本体の外側面とにそれぞれ設けることで、ケースに対してユニット本体の容器保持部を安定保持することができる。
【００４５】
（請求項４）
請求項４に記載の発明によれば、上記した請求項２又は請求項３に記載の発明の効果に加え、次のような効果を奏する。
すなわち、請求項４に記載の発明によれば、ベント部を吹出口に向けて取り付ける際に、飲料用の容器を挿入可能な容器挿入穴が下方を向いた状態において、ガイド溝に対するガイド突起のはまり込みを阻止することで、誤組み付けを防止することができる。
【００４６】
（請求項５）
請求項５に記載の発明によれば、上記した請求項４に記載の発明の効果に加え、次のような効果を奏する。
すなわち、請求項５に記載の発明によれば、対向するガイド溝の溝幅、若しくは上下方向の高さ位置、或いは左右方向の位置を互いに異ならせることで、誤組み付けを防止することができる。
【００４７】
（請求項６）
請求項６に記載の発明によれば、上記した請求項２〜５のいずれか１項に記載の発明の効果に加え、次のような効果を奏する。
すなわち、請求項６に記載の発明によれば、ケースの内部と、当該内部にはまり込むベント部の一部との間に、第１当接部と、当該第１当接部に当接する第２当接部とをそれぞれに設けることで、容器保持部取付状態において、容器保持部を吹出口の内部に向かって押し込むのを防止することができる。
【００４８】
（請求項７）
請求項７に記載の発明によれば、上記した請求項６に記載の発明の効果に加え、次のような効果を奏する。
すなわち、請求項７に記載の発明によれば、第１当接部と、当該第１当接部に当接する第２当接部とを、ガイド突起とガイド溝とにそれぞれ設けることで、容器保持部取付状態において、容器保持部を吹出口の内部に向かって押し込むのを防止することができる。
【００４９】
（請求項８）
請求項８に記載の発明によれば、上記した請求項７に記載の発明の効果に加え、次のような効果を奏する。
すなわち、請求項８に記載の発明によれば、第１当接部をガイド突起から構成し、第２当接部をガイド溝から構成するとともに、当該ガイド溝への前記ガイド突起の挿入方向の終端部に位置させることで、容器保持部取付状態において、容器保持部を吹出口の内部に向かって押し込むのを防止することができる。
【００５０】
（請求項９）
請求項９に記載の発明によれば、上記した請求項１に記載の発明の効果に加え、次のような効果を奏する。
すなわち、請求項９に記載の発明によれば、エアベントユニットを吹出口から取り外した状態において、エアベントユニットを上下方向に反転し、容器挿入穴を上方に向けた状態において、ベント部を吹出口に向けて取り付けることができる。
【００５１】
（請求項１０）
請求項１０に記載の発明によれば、上記した請求項１に記載の発明の効果に加え、次のような効果を奏する。
すなわち、請求項１０に記載の発明によれば、エアベントユニットを吹出口から取り外した状態において、エアベントユニットを水平方向に反転し、容器挿入穴を上方に向けた状態において、ベント部を前記吹出口に向けて取り付けることができる。
【図面の簡単な説明】
【００５２】
【図１】ユニット本体の容器保持部を取り外した状態のエアベントユニットの斜視図である。
【図２】ユニット本体のベント部を取り付けた状態のエアベントユニットの斜視図である。
【図３】ユニット本体のベント部を取り外した状態のエアベントユニットの斜視図である。
【図４】ユニット本体の容器保持部を取り付けた状態のエアベントユニットの斜視図である。
【図５】エアベントユニットの分解斜視図である。
【図６】図３の正面図である。
【図７】図６に対応する平面図である。
【図８】図６に対応する側面図である。
【図９】図６のＡ−Ａ線に沿う断面図である。
【図１０】図６のＢ−Ｂ線に沿う断面図である。
【図１１】ケースの斜視図である。
【図１２】図１１に対応する正面図である。
【図１３】図１１に対応する平面図である。
【図１４】図１１に対応する左側面図である。
【図１５】図１１に対応する右側面図である。
【図１６】図１１に対応する底面図である。
【図１７】図１１に対応する背面図である。
【図１８】ハウジングの斜視図である。
【図１９】図１８に対応する正面図である。
【図２０】図１８に対応する平面図である。
【図２１】図１８に対応する左側面図である。
【図２２】図１８に対応する右側面図である。
【図２３】図１８に対応する底面図である。
【図２４】図１８に対応する背面図である。
【図２５】図５の一部拡大図である。
【図２６】図２の正面図である。
【図２７】図２６に対応する平面図である。
【図２８】図２６に対応する側面図である。
【図２９】図２６のＣ−Ｃ線に沿う断面図である。
【図３０】図２６のＤ−Ｄ線に沿う断面図である。
【図３１】図１の正面図である。
【図３２】図３１の平面図である。
【図３３】図３１の側面図である。
【図３４】図３１のＥ−Ｅ線に沿う断面図である。
【図３５】図３１のＦ−Ｆ線に沿う断面図である。
【図３６】図４の正面図である。
【図３７】図３６に対応する平面図である。
【図３８】図３６に対応する側面図である。
【図３９】図３６のＧ−Ｇ線に沿う断面図である。
【図４０】図３６のＨ−Ｈ線に沿う断面図である。
【図４１】本発明の第２の実施の形態を示し、同図はユニット本体の容器保持部を取り外した状態のエアベントユニットの斜視図である。
【図４２】本発明の第２の実施の形態を示し、同図はユニット本体のベント部を取り付けた状態のエアベントユニットの斜視図である。
【図４３】本発明の第２の実施の形態を示し、同図はユニット本体のベント部を取り外した状態のエアベントユニットの斜視図である。
【図４４】本発明の第２の実施の形態を示し、同図はユニット本体の容器保持部を取り付けた状態のエアベントユニットの斜視図である。
【図４５】本発明の第２の実施の形態を示し、同図はエアベントユニットの分解斜視図である。
【図４６】図４３の正面図である。
【図４７】図４６に対応する平面図である。
【図４８】図４６に対応する側面図である。
【図４９】図４６のＩ−Ｉ線に沿う断面図である。
【図５０】図４６のＪ−Ｊ線に沿う断面図である。
【図５１】図４２の正面図である。
【図５２】図５１に対応する平面図である。
【図５３】図５１に対応する側面図である。
【図５４】図５１のＫ−Ｋ線に沿う断面図である。
【図５５】図５１のＬ−Ｌ線に沿う断面図である。
【図５６】図４１の正面図である。
【図５７】図５６の平面図である。
【図５８】図５６の側面図である。
【図５９】図５６のＭ−Ｍ線に沿う断面図である。
【図６０】図５６のＮ−Ｎ線に沿う断面図である。
【図６１】図４４の正面図である。
【図６２】図６１に対応する平面図である。
【図６３】図６１に対応する側面図である。
【図６４】図６１のＯ−Ｏ線に沿う断面図である。
【図６５】図６１のＰ−Ｐ線に沿う断面図である。
【図６６】本発明の第３の実施の形態を示し、同図はケースとユニット本体との間に設けたガイド突起とガイド溝との位置関係を説明するための説明図である。
【図６７】本発明の第４の実施の形態を示し、同図はケースとユニット本体との間に設けたガイド突起とガイド溝との位置関係を説明するための説明図である。
【図６８】本発明の第５の実施の形態を示し、同図はケースとユニット本体との間に設けたガイド突起とガイド溝との位置関係を説明するための説明図である。
【図６９】本発明の第６の実施の形態を示し、同図はケースとユニット本体との間に設けたガイド突起とガイド溝との位置関係を説明するための説明図である。
【図７０】本発明の第７の実施の形態を示し、同図はケースとユニット本体との間に設けたガイド突起とガイド溝との位置関係を説明するための説明図である。
【図７１】本発明の第８の実施の形態を示し、同図はケースとユニット本体との間に設けたガイド突起とガイド溝との位置関係を説明するための説明図である。
【図７２】本発明の第９の実施の形態を示し、同図はケースとユニット本体との間に設けたガイド突起とガイド溝との位置関係を説明するための説明図である。
【発明を実施するための形態】
【００５３】
（第１の実施の形態）
図１〜図４を用いて、本発明の第１の実施の形態について説明する。
図１〜図４中、10は、容器保持兼用のエアベントユニットを示すものであり、図示しないが、自動車等の乗り物の室内に取り付けられ、車内空調装置（図示せず）の吹出口21に取り付けられる。
なお、乗り物として、自動車を例示したが、これに限定されず、電車、航空機、船舶等でもよい。
吹出口21は、図１〜図４に示すように、室内に臨むパネル20に貫通し、方形に形成されている。
【００５４】
（エアベントユニット10）
エアベントユニット10は、図３及び図５に示すように、大別すると、次のパーツを備える。
なお、次の（１）〜（５）については後述する。
（１）ケース30
（２）ユニット本体40
（３）誤組付け防止手段80
（４）押込み阻止手段
（５）ロック手段90
なお、エアベントユニット10のパーツは、上記した（１）〜（５）に限定されず、例えば誤組付け防止手段80やロック手段90を省略してもよい。
【００５５】
（ケース30）
ケース30は、図１及び図３に示すように、吹出口21の内部に収納する中空なものであり、吹出口21に連通する。
ケース30は、図１１〜図１７に示すように、前後面が開口した角筒形に形成され、その外形を吹出口21の内形に一致させている。
また、ケース30は、左右一対の左側壁100及び右側壁101、上下一対の上壁102及び下壁103により四方が取り囲まれている。
ケース30は、例えば適度な剛性を有する熱可塑性の合成樹脂により一体成形されている。なお、ケース30の材質として、合成樹脂を例示したが、これに限定されず、金属製としてもよい。
【００５６】
ケース30には、大別すると、次の各部を有する。
（１）前面開口31
前面開口31は、図１１〜図１３に示すように、ケース30の前面側に位置し、ケース30を吹出口21に取り付けた状態において、室内側に向かって開口する。
前面開口31の端面は、図１４及び図１５に示すように、パネル20の表面に沿って斜めに傾斜させている。
【００５７】
（２）背面開口32
背面開口32は、図１７に示すように、ケース30の背面側に位置し、パネル20の内部に向かって開口する。背面開口32の端面は、図１４及び図１５に示すように、同図において略垂直に形成されている。
（３）取付部33
取付部33は、図１１及び図１２に示すように、前面開口31の端面から四方に突出し、図示しないが、パネル20にネジ止めして固定する。
【００５８】
（ユニット本体40）
ユニット本体40は、図２及び図４に示すように、ケース30に対し着脱可能なものである。
ユニット本体40には、図１及び図３に示すように、大別すると、次の各部を備える。
なお、次の（１）〜（３）については後述する。
（１）ハウジング50
（２）ベント部60
（３）容器保持部70
なお、ユニット本体40の各部は、上記した（１）〜（３）に限定されない。
【００５９】
（ハウジング50）
ハウジング50は、図１〜図４に示すように、ケース30の内部に収納、及びケース30から取り外し可能なものであり、中空なものであり、吹出口21に連通する。
ハウジング50は、図１８〜図２４に示すように、前後面が開口した角筒形に形成され、その外形をケース30の内形以下に設定している。
また、ハウジング50は、左右一対の第１側壁110及び第２側壁111、上下一対の上壁112及び下壁113により四方が取り囲まれている。
ハウジング50は、例えば適度な剛性を有する熱可塑性の合成樹脂により一体成形されている。なお、ハウジング50の材質として、合成樹脂を例示したが、これに限定されず、金属製としてもよい。
【００６０】
ハウジング50には、大別すると、次の各部を有する。
（１）第１開口51
第１開口51は、図１８〜図２０に示すように、ハウジング50の前後面の一方に位置し、第１開口51の内側には、図５に示すように、後述するベント部60が配置される。
第１開口51の端面は、前面開口31の端面と同様に、図２１及び図２２に示すように、斜めに傾斜させている。
【００６１】
（２）第２開口52
第２開口52は、図２４に示すように、ハウジング50の前後面の他方に位置し、第２開口52の内側には、図５に示すように、後述する容器保持部70が配置される。
（３）リング取付部53
リング取付部53は、図１８及び図２３に示すように、第２開口52の内側に位置し、円形の穴状に形成され、下壁113を上下に貫通している。リング取付部53には、図５に示すように、後述するリング状の容器保持部70が取り付けられる。
【００６２】
（４）容器支持部54
容器支持部54は、図１及び図４に示すように、リング取付部53に取り付けられた後述する容器保持部70から挿入された容器（図示せず）の底を支持するものである。本実施の形態では、容器支持部54は、下壁113に形成されたリング取付部53と対向する上壁112の対向面が相当する。
なお、容器支持部54として、上壁112を例示したが、これに限定されず、ハウジング50の内部に、容器（図示せず）の底がはまり込む凹状のものを形成してもよい。
【００６３】
（ベント部60）
ベント部60は、図２に示すように、空調装置（図示せず）の吹出口21に連通するものである。ベント部60は、図５に示すように、ハウジング50の第２開口52の内側に位置する。
【００６４】
ベント部60には、図２５に示すように、大別すると、次のパーツを有する。
次の（１）〜（９）は、例えば適度な剛性と弾性とを有する熱可塑性の合成樹脂により一体成形されている。なお、パーツの材質として、合成樹脂を例示したが、これに限定されず、金属製としてもよい。
なお、次の（１）〜（９）については後述する。
（１）ベゼル61
（２）ホルダー62
（３）横フィン63
（４）縦フィン64
（５）第１リンク65
（６）第２リンク66
（７）ノブ67
（８）ノブギア68
（９）ゴム69
なお、ベント部60のパーツとして、上記した（１）〜（９）を例示したが、これに限定されず、例えば横フィン63だけを設けたり、或いは縦フィン64だけを設けてもよい。
【００６５】
（容器保持部70）
容器保持部70は、図３５に示すように、ベント部60に連通し、飲料用の缶、ペットボトル、ビン、カップ等の容器（図示せず）を保持可能なものである。
容器保持部70は、図５に示すように、リング状に形成され、ハウジング50のリング取付部53に取り付けられる。容器保持部70は、例えば適度な剛性を有する熱可塑性の合成樹脂により一体成形されている。なお、パーツの材質として、合成樹脂を例示したが、これに限定されず、金属製としてもよい。
容器保持部70には、図１に示すように、次の各部を有する。
（１）容器挿入穴71
容器挿入穴71は、容器（図示せず）を挿入可能なものであり、上下に貫通する円形に形成されている。
【００６６】
（誤組付け防止手段80）
誤組付け防止手段80は、図１〜図４に示すように、ベント部60を吹出口21に向けて取り付ける際に、容器挿入穴71が下方を向いた状態において、ガイド溝81,82に対するガイド突起83,84のはまり込みを阻止するものである。
誤組付け防止手段80としては、ケース30の内面と、当該内面と対向するハウジング50との間には、次の各部を設けている。
なお、次の（１）及び（２）については、後述する。
（１）ガイド突起83,84
（２）ガイド溝81,82
なお、誤組付け防止手段80として、ケース30側にガイド溝81,82を設け、ハウジング50側にガイド溝81,82にはまり込むガイド突起83,84を設けたが、これに限定されず、ケース30側にガイド突起を設け、ハウジング50側にガイド溝を設けてもよい。
【００６７】
（ガイド突起83,84）
ガイド突起83,84は、図１８〜図２４に示すように、ハウジング50の左右の第１側壁110及び第２側壁111にそれぞれ設けられている。ガイド突起83,84は、ハウジング50の左右の第１側壁110の外側面と、第２側壁111の外側面とに背向して位置し、各外側面から左右外向きに凸状に突出し、ケース30に対するユニット本体40の挿入方向に長く延びている。
ガイド突起83,84の一端部、すなわち第１開口51側には、図１８に示すように、凹凸部が形成され、反対側の他端部、すなわち第２開口52側に凹凸部が無い。片側の凹凸部は、ハウジング50の前後を区別するためのものであり、エアベントユニット10の組立て工程、或いは操作上の誤挿入を防止するためのものである。
【００６８】
また、左右のガイド突起83,84は、同じ高さに設けられ、高さ方向の厚みを互い異ならせている。
ガイド突起83,84のうち、一方の第１ガイド突起83は、図１９において向かって左側の第１側壁110に位置する。
他方の第２ガイド突起84は、図１９において向かって右側の第２側壁111に位置し、第１ガイド突起83に比較し、高さ方向の厚みを厚く設定している。
【００６９】
（ガイド溝81,82）
ガイド溝81,82は、図２及び図４に示すように、ガイド突起83,84に嵌り合い、図９に示すように、ユニット本体40の着脱方向に沿って延びるものである。
ガイド溝81,82は、図１１〜図１３に示すように、ケース30の左右の左側壁100及び右側壁101にそれぞれ設けられている。ガイド溝81,82は、左右の左側壁100及び右側壁101の内側面に対向して位置し、凹状に形成され、ケース30に対するユニット本体40の挿入方向に長く延びている。ガイド溝81,82は、図９に示すように、室内側に位置する端面が開放し、奥側に位置する終端部81a,82aが塞がれている。
【００７０】
また、左右のガイド溝81,82は、ガイド突起83,84と同じ高さに設けられ、高さ方向の溝幅を、ガイド突起83,84に適合させて互いに異ならせている。
ガイド溝81,82のうち、左側ガイド溝81は、図１２において向かって左側の左側壁100に位置する。
ガイド溝81,82のうち、右側ガイド溝82は、図１２において向かって右側の右側壁101に位置し、厚みの厚い第２ガイド突起84に対応させ、高さ方向の溝幅を、左側ガイド溝81に比較し、幅広に設定している
【００７１】
（ガイド突起83,84とガイド溝81,82との関係）
ガイド突起83,84とガイド溝81,82とは、図２に示すように、ベント部取付状態において、ケース30側の幅狭の左側ガイド溝81に、ハウジング50（ユニット本体40）の同図において向かって左側に位置する厚みの薄い第１ガイド突起83がはまり込み、ケース30側の幅広の右側ガイド溝82に、ハウジング50（ユニット本体40）の右側に位置する厚みの厚い第２ガイド突起84がはまり込む。
【００７２】
また、図４及び図３６に示すように、容器保持部取付状態においても、同様に、ケース30側の幅狭の左側ガイド溝81に、ハウジング50（ユニット本体40）の図３６において向かって左側に位置する厚みの薄い第１ガイド突起83がはまり込み、ケース30側の幅広の右側ガイド溝82に、ハウジング50（ユニット本体40）の右側に位置する厚みの厚い第２ガイド突起84がはまり込む。
【００７３】
これに対し、図示しないが、他の向き、例えば図１の状態で、容器挿入穴71が下向きにし、ベント部60側より、ケース30の前面開口31に挿入しようとすると、ケース30側の幅狭の左側ガイド溝81に、ハウジング50（ユニット本体40）の厚みの厚い第２ガイド突起84が位置することから、厚みの厚い第２ガイド突起84が幅狭の左側ガイド溝81にはまり込むことが阻止され、誤組付けが防止される。
なお、例えば図３の状態で、容器挿入穴71が下向きにし、容器保持部70側より、ケース30の前面開口31に挿入しようとした場合も同様である。
【００７４】
（押込み阻止手段）
押込み阻止手段は、図４に示す容器保持部取付状態において、容器保持部70を吹出口21の内部に向かって押し込み不能とするものである。
具体的には、押込み阻止手段は、図３９及び図４０に示すように、次の各部から構成されている。
（１）第１当接部
第１当接部は、図３９及び図４０に示すように、ケース30の内部と、当該内部にはまり込むベント部60の一部との間に位置し、ベント部60の一部をケース30の内部にはめ込んだ際に互いに当接し、ベント部(60)の一部に設けたものであり、本実施の実施の形態では、ガイド突起83,84の一端部が相当する。
【００７５】
（２）第２当接部
第２当接部は、図３９及び図４０に示すように、ケース30の内部に設けたものであり、本実施の形態では、ガイド突起83,84の一端部と当接するガイド溝81,82の終端部81a,82aが相当する。
なお、押込み阻止手段として、第１当接部としてガイド突起83,84の一端部を、第２当接部として、ガイド突起83,84の一端部と当接するガイド溝81,82の終端部81a,82aをそれぞれ例示したが、これに限定されず、図示しないが、ケース30の内部に突起を設け、当該突起にユニット本体40が当接するようにしてもよい。
【００７６】
（ロック手段90）
ロック手段90は、図２に示すベント部取付状態、及び図４に示す容器保持部取付状態において、ケース30に対してハウジング50（ユニット本体40）をロックするものである。すなわち、ロック手段90は、車の振動などにより、ハウジング50（ユニット本体40）がケース30内から不用意に突出し、ケース30に対してハウジング50（ユニット本体40）が外れるのを防止するものである。
【００７７】
ロック手段90は、図９に示すように、次の各部から構成されている。
なお、次の（１）及び（２）については後述する。
（１）板バネ91
（２）係合部92
【００７８】
（板バネ91）
板バネ91は、図９に示すように、ケース30側に位置し、ケース30の内部に向かって突出する凸部を構成する。
具体的には、板バネ91は、ケース30の左右の左側壁100及び右側壁101にそれぞれ取り付けられている。板バネ91は、ガイド溝81,82内に向かって弾性的に突出し、ハウジング50側のガイド突起83,84と係合する。
【００７９】
なお、板バネ91を、ハウジング50の左右の左側壁100及び右側壁101にそれぞれ取り付けたが、これに限定されず、図示しないが、例えば左右の左側壁100と右側壁101とのいずれか一方にのみ取り付けてもよいし、或いは上下の上壁102及び下壁103の両方若しくはいずれか一方に取り付けてもよい。
板バネ91の長さの中央には、略Ｖ字形に屈曲し、ガイド溝81,82内に向かって突出する凸部91aを設けている。
【００８０】
（係合部92）
係合部92は、図９に示すように、ハウジング50側に位置し、図２に示すベント部取付状態、及び図４に示す容器保持部取付状態において、凸部を構成する板バネ91とはまり合う凹部を構成するものである。
具体的には、係合部92は、ハウジング50の左右のガイド突起83,84にそれぞれ設けられている。
【００８１】
すなわち、左右のガイド突起83,84には、図９及び図１８に示すように、ケース30側に位置する板バネ91の凸部91aがはまり込み、スライドする断面凹状のスライド溝をガイド突起83,84の長手方向に沿って形成する。なお、スライド溝の両端部は、閉塞されている。
係合部92は、凹状のスライド溝の底から断面山形に隆起し、スライド溝の長さ方向の途中に位置する。
【００８２】
係合部92の途中には、図９に示すように、板バネ91の凸部91aがはまり込む凹状の係合凹部93を設けている。
係合凹部93の両側には、当該係合凹部93に向かって上り傾斜し、図９においてケース30側に位置する第１係合凸部94と、当該第１係合凸部94と係合凹部93を挟んで反対側に位置し、第１係合凸部94と比較して短い第２係合凸部95とをそれぞれ設けている。
なお、第１係合凸部94と第２係合凸部95との長さを変化させたのは、ロック時或いはロック解除のハウジング50の押し込み力を変化させるためである。
【００８３】
（ベゼル61）
ベゼル61は、図２５に示すように、フレーム状に形成され、ハウジング50の第１開口51に取り付けられる。
【００８４】
（ホルダー62）
ホルダー62は、図２５に示すように、左右一対有り、ベゼル61に取り付けられ、後述する横フィン63を回転可能に支持するものである。
【００８５】
（横フィン63）
横フィン63は、図２５に示すように、はね状のものであり、複数枚、例えば５枚有る。横フィン63は、左右のホルダー62の間に回転可能に支持され、上下に回転し、風向きを上下方向に変化させるものである。
なお、横フィン63の枚数として、５枚を例示したが、これに限定されず、複数枚であればよく、２〜４枚或いは６枚以上でもよい。
【００８６】
（縦フィン64）
縦フィン64は、図２５に示すように、横フィン63の奥側に位置し、はね状のものであり、複数枚、例えば５枚有る。縦フィン64は、ハウジング50の上壁112と下壁113との間に回転可能に支持され、左右方向に回転し、風向きを左右方向に変化させるものである。
なお、縦フィン64の枚数を、横フィン63の枚数と異ならせてもよいし、又、５枚を例示したが、これに限定されず、複数枚であればよく、２〜４枚或いは６枚以上でもよい。
【００８７】
（第１リンク65）
第１リンク65は、図２５に示すように、横フィン63の左右の片側に位置し、５枚の横フィン63を連動して回転させるものである。
【００８８】
（第２リンク66）
第２リンク66は、図２５に示すように、縦フィン64の上側に位置し、５枚の縦フィン64を連動して回転させるものである。
【００８９】
（ノブ67）
ノブ67は、図２５に示すように、横フィン63の一枚に取り付けられ、当該横フィン63と一体的に上下に回転するとともに、当該横フィン63に沿って左右方向にスライド可能に支持されている。ノブ67は、前側の端部が第１開口51から外側に突出し、操作可能となっている。ノブ67を上下方向に操作すると、第１リンク65を介して５枚の横フィン63が連動して上下方向に回転する。
ノブ67の上面には、図２に示すように、滑り止め用の凹凸面が形成されている。
【００９０】
（ノブギア68）
ノブギア68は、図２５に示すように、ノブ67の奥側に位置する端部に取り付けられ、ノブ67と一体的に上下動、左右方向にスライドする。ノブギア68は、縦フィン64の一枚と係合し、ノブ67を左右方向にスライドさせると、一体的にスライドし、第２リンク66を介して５枚の縦フィン64が連動して左右方向に回転する。ノブギア68と、当該ノブギア68と係合する縦フィン64との間には、ラック・アンド・ピニオン機構を設け、ノブギア68のスライドの動きを、縦フィン64の回転力に変換している。
【００９１】
（ゴム69）
ゴム69は、図２５に示すように、ノブ67と当該ノブ67とに係合する横フィン63との間に位置し、ノブ67が車の振動などにより、不用意にスライドしないようにするためのものである。
【００９２】
（図２に示すベント部取付状態）
つぎに、上記構成を有すエアベントユニット10の使用方法について説明する。まず、図２を用いて、ベント部取付状態について説明する。
ベント部取付状態においては、図２に示すように、パネル20の吹出口21に埋設状に固定されたケース30内に、ユニット本体40がはまり込み、このとき、ベント部60が室内側に臨んでいる。
ベント部取付状態においては、ユニット本体40は、図２９に示すように、ケース30に対し、ロック手段90によりロックされる。また、ユニット本体40の容器保持部70は、ケース30の内部に収納される。
【００９３】
（図１及び図３に示すユニット本体40の取外状態）
つぎに、ユニット本体40の容器保持部70を使用する場合には、図３に示すように、まず、ユニット本体40をケース30の前面開口31を引き出す。
ユニット本体40を引き出すと、ケース30側に位置する板バネ91がたわみ、図２９に示すように、ユニット本体40側に位置する係合部92の係合凹部93にはまり込んでいた凸部91aが当該係合凹部93から係脱し、ロック手段90のロック状態が解除される。ロック状態の解除後、ユニット本体40をケース30から引き出し、図３に示すように、取り外す。
【００９４】
つぎに、取り外したユニット本体40を、上下方向に反転し、図１に示すように、容器保持部70の容器挿入穴71を上方に向ける。このとき、容器保持部70は、操作者の手前側に位置し、ベント部60は奥側に、すなわちケース30の前面開口31に向かって位置する。
ここで、「上下方向に反転」とは、図３のユニット本体40側の係合部92の延長線上を水平軸と仮定した場合に、当該水平軸を中心に１８０度回転することを意味する。なお、「上下反転」としては、図示しないが、ユニット本体40の上面と下面とを反転させ、容器挿入穴71を上方に向ける。このとき、容器保持部70は、ケース30の前面開口31側に向いて位置し、ベント部60は操作者の手前側に位置する。その後、ベント部60を、ケース30の前面開口31側に向かうように回転させてもよい。
【００９５】
取り外したユニット本体40を、図１に示すように、上下方向に反転すると、容器保持部70の容器挿入穴71を上方に向き、このとき、容器保持部70は、操作者の手前側に位置し、ベント部60は奥側に、すなわちケース30の前面開口31に向かって位置する。
また、ユニット本体40の厚みの薄い第１ガイド突起83は、図１において向かって左側に位置し、ケース30の溝幅の幅狭の左側ガイド溝81と対向する。ユニット本体40の厚みの厚い第２ガイド突起84は、図１において向かって左側に位置し、ケース30の溝幅の幅広の右側ガイド溝82と対向する。
【００９６】
（図４に示す容器保持部取付状態）
つぎに、ユニット本体40をケース30に取り付け、図４に示す容器保持部取付状態とする。
すなわち、取り外し、図１に示すように、容器挿入穴71を上方に向けたユニット本体40を、そのベント部60からケース30の前面開口31に合わせて挿入する。
ベント部60から挿入すると、厚みの薄い第１ガイド突起83は、図３９に示すように、ケース30の溝幅の幅狭の左側ガイド溝81にはまり込む。厚みの厚い第２ガイド突起84は、溝幅の幅広の右側ガイド溝82にはまり込む。
【００９７】
ユニット本体40を更に挿入すると、図３９に示すように、ケース30側に位置する板バネ91の凸部91aが、ユニット本体40側に位置する係合部92の係合凹部93にはまり込み、ロック手段90がロック状態となる。
図４に示す容器保持部取付状態において、ユニット本体40をケース30内に押し込もうとすると、ユニット本体40側に位置する左右のガイド突起83,84の図３９において上端部が、ケース30側に位置する左右のガイド溝81,82の閉塞された終端部81a,82aに当接し、ユニット本体40の押し込みを阻止する。
【００９８】
（図４１〜図６５を用いた第２の実施の形態）
つぎに、図４１〜図６５を用いて、本発明の第２の実施の形態について説明する。
本発明の特徴は、エアベントユニット200、すなわちユニット本体220を吹出口21（ケース210）から取り外した状態（図４３参照）において、ユニット本体220を水平方向に反転し、容器挿入穴71を上方に向けた状態（図４１参照）において、図４４に示すように、ベント部60を吹出口21（ケース210）に向けて取り付けることができるようにした点である。
【００９９】
本実施例では、ハウジング230に設けた第１ガイド突起243と第２ガイド突起244の左右の向きが、図４３に示すケース210から取り外した状態と、ユニット本体220を水平方向に反転し、図４１に示すように、容器挿入穴71を上方に向けた状態とでは、左右逆転している。
すなわち、図４３及び図４７に示すケース210から取り外した状態においては、第１ガイド突起243が図４７において向かって左側に位置し、第２ガイド突起244が右側に位置する。
【０１００】
これに対し、図４１及び図５７に示すように、容器挿入穴71を上方に向けた状態においては、第１ガイド突起243が図５７において向かって右側に位置し、第２ガイド突起244が左側に位置する。
このため、第１ガイド突起243と第２ガイド突起244との高さ方向の厚みを、図４６及び図５６に示すように、等しく形成している。また、同様の理由から、ケース210の左右の左側ガイド溝241と右側ガイド溝242の高さ方向の溝幅も等しく形成している。
【０１０１】
（エアベントユニット200）
エアベントユニット200は、図４５に示すように、大別すると、ケース210と、ユニット本体220とから構成されている。
本実施においては、先に図１〜図４０を用いて説明した第１の実施の形態と同一の構成部分については同一符号を用いて説明を省略する。
【０１０２】
（ケース210）
ケース210は、図４３及び図４９に示すように、大別すると、前面開口211、背面開口212、取付部213、並びに左右の左側ガイド溝241及び右側ガイド溝242を備える。
【０１０３】
（ユニット本体220）
ユニット本体220は、図４１、図４３及び図４５に示すように、大別すると、ハウジング230、ベント部60及び容器保持部70を備える。
ハウジング230には、図４１、図４３、図４９及び図５０に示すように、大別すると、第１開口231、第２開口232、リング取付部233、容器支持部244、並びに左右の第１ガイド突起243及び第２ガイド突起244を備える。
【０１０４】
（図４２に示すベント部取付状態）
つぎに、上記構成を有すエアベントユニット200の使用方法について説明する。まず、図４２を用いて、ベント部取付状態について説明する。
ベント部取付状態においては、図４２に示すように、パネル20の吹出口21に埋設状に固定されたケース210内に、ユニット本体220がはまり込み、このとき、ベント部60が室内側に臨んでいる。
ベント部取付状態においては、ユニット本体220は、図５４に示すように、ケース210に対し、ロック手段90によりロックされる。また、ユニット本体220の容器保持部70は、ケース210の内部に収納される。
【０１０５】
（図４１及び図４３に示すユニット本体220の取外状態）
つぎに、ユニット本体220の容器保持部70を使用する場合には、図４３に示すように、まず、ユニット本体220をケース210の前面開口211を引き出す。
ユニット本体220を引き出すと、ケース210側に位置する板バネ91がたわみ、図５４に示すように、ユニット本体220側に位置する係合部92の係合凹部93にはまり込んでいた凸部91aが当該係合凹部93から係脱し、ロック手段90のロック状態が解除される。ロック状態の解除後、ユニット本体220をケース210から引き出し、図４３に示すように、取り外す。
【０１０６】
つぎに、取り外したユニット本体220を、図４１に示すように、水平方向に反転する。このとき、容器保持部70は、操作者の手前側に位置し、ベント部60は奥側に、すなわちケース210の前面開口211に向かって位置する。
ここで、「水平方向に反転」とは、図４３のユニット本体220を前後方向に１８０度回転することを意味する。
【０１０７】
（図４４に示す容器保持部取付状態）
つぎに、ユニット本体220をケース210に取り付け、図４４に示す容器保持部取付状態とする。
すなわち、取り外し、図４１に示すように、水平方向に反転したユニット本体220を、そのベント部60からケース210の前面開口211に合わせて挿入する。
ベント部60から挿入すると、左右の第１ガイド突起243及び第２ガイド突起244が、ケース210側の左右の左側ガイド溝241及び右側ガイド溝242にそれぞれはまり込む。
【０１０８】
ユニット本体220を更に挿入すると、図６４に示すように、ケース210側に位置する板バネ91の凸部91aが、ユニット本体220側に位置する係合部92の係合凹部93にはまり込み、ロック手段90がロック状態となる。
図４４に示す容器保持部取付状態において、ユニット本体220をケース210内に押し込もうとすると、ユニット本体220側に位置する左右のガイド突起83,84の図６４において上端部が、ケース210側に位置する左右のガイド溝81,82の閉塞された終端部81a,82aに当接し、ユニット本体220の押し込みを阻止する。
【０１０９】
（図６６を用いた第３の実施の形態）
つづいて、図６６を用いて、本発明の第３の実施の形態について説明する。
本発明の特徴は、エアベントユニット300のケース310の図６６において向かって左側の内側面にガイド突起311を設け、ユニット本体320のハウジング330の同じ左側の外側面に、ガイド突起311にはまり合い、当該ガイド突起311がスライド可能なガイド溝331を設けた点である。
本実施の形態によれば、ケース310に対し、ユニット本体320の誤組み付けを防止することができる。
【０１１０】
なお、ケース310の左側の内側面にガイド突起311を設けたが、これに限定されず、図示しないが、右側の内側面にガイド突起を設け、これに対応させ、ハウジング330の同じ右側の外側面にガイド溝を設けてもよい。
本実施の形態は、先に図１〜図４０を用いて説明した第１の実施の形態に利用可能である。なお、先に図４１〜図６５を用いて説明した第２の実施の形態においては、ユニット本体220を水平方向に反転した際に、図４１及び図４３に示すように、左右が反転してしまい、本実施の形態の利用が不能である。
【０１１１】
（図６７を用いた第４の実施の形態）
図６７を用いて、本発明の第４の実施の形態について説明する。
本発明の特徴は、エアベントユニット400において、ユニット本体420のハウジング430の上面にガイド突起431を設け、ケース410の内面の天井面に、ガイド突起431にはまり合い、当該ガイド突起431がスライド可能なガイド溝411を設けた点である。
本実施の形態によれば、ケース410に対し、ユニット本体420の誤組み付けを防止することができる。
【０１１２】
なお、ハウジング430の上面にガイド突起431を設けたが、これに限定されず、図示しないが、下面にガイド突起を設け、これに対応させ、ケース410の内面の底面にガイド溝を設けてもよい。
本実施の形態は、先に図４１〜図６５を用いて説明した第２の実施の形態に利用可能である。なお、先に図１〜図４０を用いて説明した第１の実施の形態においては、ユニット本体40を上下方向に反転した際に、図１及び図３に示すように、上下が反転してしまい、本実施の形態の利用が不能である。
【０１１３】
（図６８を用いた第５の実施の形態）
図６８を用いて、本発明の第５の実施の形態について説明する。
本発明の特徴は、エアベントユニット500のケース510の内面の天井面にガイド突起511を設け、ユニット本体520のハウジング530の上面に、ガイド突起511にはまり合い、当該ガイド突起511がスライド可能なガイド溝531を設けた点であり、図６７を用いて説明した第４の実施の形態の逆のパターンである。
本実施の形態によれば、ケース510に対し、ユニット本体520の誤組み付けを防止することができる。
【０１１４】
なお、ケース510の内面の天井面にガイド突起511を設けたが、これに限定されず、図示しないが、内面の底面にガイド突起を設け、これに対応させ、ハウジング530の下面にガイド溝を設けてもよい。
本実施の形態は、先に図４１〜図６５を用いて説明した第２の実施の形態に利用可能である。なお、先に図１〜図４０を用いて説明した第１の実施の形態においては、ユニット本体40を上下方向に反転した際に、図１及び図３に示すように、上下が反転してしまい、本実施の形態の利用が不能である。
【０１１５】
（図６９を用いた第６の実施の形態）
図６９を用いて、本発明の第６の実施の形態について説明する。
本発明の特徴は、対向するガイド溝611,612の上下方向の高さ位置を互いに異ならせた点である。
本実施の形態によれば、ケース610に対し、ユニット本体620の誤組み付けを防止することができる。
すなわち、エアベントユニット600において、ユニット本体620のハウジング630には、図６９において向かって左側の外側面の上側にガイド突起631を設け、右側の外側面の下側にガイド突起632を設けている。
ケース610には、左側の内側面の上側に、上側のガイド突起631にはまり合い、当該ガイド突起631がスライド可能なガイド溝611を設け、右側の内側面の下側に、下側のガイド突起632にはまり合い、当該ガイド突起632がスライド可能なガイド溝612を設けている。
【０１１６】
なお、ハウジング630の外側面の上側にガイド突起631を設け、右側の外側面の下側にガイド突起632を設けたが、これに限定されず、ガイド突起631,632は上下方向の高さ位置が異なっていればよい。
本実施の形態は、先に図１〜図４０を用いて説明した第１の実施の形態に利用可能である。なお、先に図４１〜図６５を用いて説明した第２の実施の形態においては、ユニット本体220を水平方向に反転した際に、図４１及び図４３に示すように、左右が反転してしまい、本実施の形態の利用が不能である。
【０１１７】
（図７０を用いた第７の実施の形態）
図７０を用いて、本発明の第７の実施の形態について説明する。
本発明の特徴は、図６９を用いて説明した第６の実施の形態の逆のパターンである。
本実施の形態によれば、ケース710に対し、ユニット本体720の誤組み付けを防止することができる。
すなわち、ユニット本体720のケース710には、図７０において向かって左側の内側面の上側にガイド突起711を設け、右側の内側面の下側にガイド突起712を設けている。
ユニット本体620のハウジング630には、左側の外側面の上側に、上側のガイド突起711にはまり合い、当該ガイド突起711がスライド可能なガイド溝731を設け、右側の外側面の下側に、下側のガイド突起712にはまり合い、当該ガイド突起712がスライド可能なガイド溝732を設けている。
【０１１８】
なお、ケース710の左側の内側面の上側にガイド突起711を設け、右側の内側面の下側にガイド突起712を設けたが、これに限定されず、ガイド突起711,712は上下方向の高さ位置が異なっていればよい。
本実施の形態は、先に図１〜図４０を用いて説明した第１の実施の形態に利用可能である。なお、先に図４１〜図６５を用いて説明した第２の実施の形態においては、ユニット本体220を水平方向に反転した際に、図４１及び図４３に示すように、左右が反転してしまい、本実施の形態の利用が不能である。
【０１１９】
（図７１を用いた第８の実施の形態）
図７１を用いて、本発明の第８の実施の形態について説明する。
本発明の特徴は、対向するガイド溝811,812の左右方向の位置の位置を互いに異ならせた点である。
本実施の形態によれば、ケース810に対し、ユニット本体820の誤組み付けを防止することができる。
すなわち、エアベントユニット800において、ユニット本体820のハウジング830には、上面の図７１において向かって左側にガイド突起831を設け、下面の右側にガイド突起832を設けている。
ケース810には、内面の天井面の左側に、左側のガイド突起831にはまり合い、当該ガイド突起831がスライド可能なガイド溝811を設け、内面の底面の右側に、右側のガイド突起832にはまり合い、当該ガイド突起832がスライド可能なガイド溝812を設けている。
【０１２０】
なお、ハウジング830の上面の左側にガイド突起831を設け、下面の右側にガイド突起832を設けたが、これに限定されず、ガイド突起831,832は左右方向の位置が異なっていればよい。
本実施の形態は、先に図４１〜図６５を用いて説明した第２の実施の形態に利用可能である。なお、先に図１〜図４０を用いて説明した第１の実施の形態においては、ユニット本体40を上下方向に反転した際に、図１及び図３に示すように、上下が反転してしまい、本実施の形態の利用が不能である。
【０１２１】
（図７２を用いた第９の実施の形態）
図７２を用いて、本発明の第９の実施の形態について説明する。
本発明の特徴は、図７１を用いて説明した第８の実施の形態の逆のパターンである。
本実施の形態によれば、ケース910に対し、ユニット本体920の誤組み付けを防止することができる。
すなわち、エアベントユニット900のケース910には、内面の天井面の図７２において向かって左側にガイド突起911を設け、内面の底面の右側にガイド突起912を設けている。
ハウジング830には、上面の左側に、左側のガイド突起911にはまり合い、当該ガイド突起911がスライド可能なガイド溝931を設け、下面の右側に、右側のガイド突起912にはまり合い、当該ガイド突起912がスライド可能なガイド溝931を設けている。
【０１２２】
なお、ケース910には、内面の天井面の左側にガイド突起911を設け、内面の底面の右側にガイド突起912を設けたが、これに限定されず、ガイド突起911,912は左右方向の位置が異なっていればよい。
本実施の形態は、先に図４１〜図６５を用いて説明した第２の実施の形態に利用可能である。なお、先に図１〜図４０を用いて説明した第１の実施の形態においては、ユニット本体40を上下方向に反転した際に、図１及び図３に示すように、上下が反転してしまい、本実施の形態の利用が不能である。
【符号の説明】
【０１２３】
（第１の実施の形態）
10  エアベントユニット
20  パネル                21  空調装置の吹出口
30  ケース                31  前面開口
32  背面開口              33  取付部
40  ユニット本体          50  ハウジング
51  第１開口              52  第２開口
53  リング取付部          54  容器支持部
60  ベント部              61  ベゼル
62  ホルダー              63  横フィン
64  縦フィン              65  第１リンク
66  第２リンク            67  ノブ
68  ノブギア              69  ゴム
70  容器保持部            71  容器挿入穴
80  誤組付け防止手段
81  左側ガイド溝          81a  終端部
82  右側ガイド溝          82a  終端部
83  第１ガイド突起        84  第２ガイド突起
90  ロック手段
91  板バネ                91a  凸部
92  係合部                93  係合凹部
94  第１係合凸部          95  第２係合凸部
100  左側壁              101  右側壁
102  上壁                103  下壁
110  第１側壁            111  第２側壁
112  上壁                113  下壁
（第２の実施の形態）
200  エアベントユニット
210  ケース              211  前面開口
212  背面開口            213  取付部
220  ユニット本体        230  ハウジング
231  第１開口            232  第２開口
233  リング取付部        234  容器支持部
241  左側ガイド溝        241a  終端部
242  右側ガイド溝        242a  終端部
243  第１ガイド突起      244  第２ガイド突起
（第３の実施の形態）
300  エアベントユニット
310  ケース              311  ガイド突起
320  ユニット本体
330  ハウジング          331  ガイド溝
（第４の実施の形態）
400  エアベントユニット
410  ケース              411  ガイド溝
420  ユニット本体
430  ハウジング          431  ガイド突起
（第５の実施の形態）
500  エアベントユニット
510  ケース              511  ガイド突起
520  ユニット本体
530  ハウジング          531  ガイド溝
（第６の実施の形態）
600  エアベントユニット  610  ケース
611  左側ガイド溝        612  右側ガイド溝
620  ユニット本体        630  ハウジング
631  左側ガイド突起      632  右側ガイド突起
（第７の実施の形態）
700  エアベントユニット  710  ケース
711  左側ガイド突起      712  右側ガイド突起
720  ユニット本体        730  ハウジング
731  左側ガイド溝        732  右側ガイド溝
（第８の実施の形態）
800  エアベントユニット  810  ケース
811  左側ガイド溝        812  右側ガイド溝
820  ユニット本体        830  ハウジング
831  左側ガイド突起      832  右側ガイド突起
（第９の実施の形態）
900  エアベントユニット  910  ケース
911  左側ガイド突起      912  右側ガイド突起
920  ユニット本体        930  ハウジング
931  左側ガイド溝        932  右側ガイド溝
【図１】
2019006261.tif 000003
【図２】
2019006261.tif 000004
【図３】
2019006261.tif 000005
【図４】
2019006261.tif 000006
【図５】
2019006261.tif 000007
【図６】
2019006261.tif 000008
【図７】
2019006261.tif 000009
【図８】
2019006261.tif 000010
【図９】
2019006261.tif 000011
【図１０】
2019006261.tif 000012
【図１１】
2019006261.tif 000013
【図１２】
2019006261.tif 000014
【図１３】
2019006261.tif 000015
【図１４】
2019006261.tif 000016
【図１５】
2019006261.tif 000017
【図１６】
2019006261.tif 000018
【図１７】
2019006261.tif 000019
【図１８】
2019006261.tif 000020
【図１９】
2019006261.tif 000021
【図２０】
2019006261.tif 000022
【図２１】
2019006261.tif 000023
【図２２】
2019006261.tif 000024
【図２３】
2019006261.tif 000025
【図２４】
2019006261.tif 000026
【図２５】
2019006261.tif 000027
【図２６】
2019006261.tif 000028
【図２７】
2019006261.tif 000029
【図２８】
2019006261.tif 000030
【図２９】
2019006261.tif 000031
【図３０】
2019006261.tif 000032
【図３１】
2019006261.tif 000033
【図３２】
2019006261.tif 000034
【図３３】
2019006261.tif 000035
【図３４】
2019006261.tif 000036
【図３５】
2019006261.tif 000037
【図３６】
2019006261.tif 000038
【図３７】
2019006261.tif 000039
【図３８】
2019006261.tif 000040
【図３９】
2019006261.tif 000041
【図４０】
2019006261.tif 000042
【図４１】
2019006261.tif 000043
【図４２】
2019006261.tif 000044
【図４３】
2019006261.tif 000045
【図４４】
2019006261.tif 000046
【図４５】
2019006261.tif 000047
【図４６】
2019006261.tif 000048
【図４７】
2019006261.tif 000049
【図４８】
2019006261.tif 000050
【図４９】
2019006261.tif 000051
【図５０】
2019006261.tif 000052
【図５１】
2019006261.tif 000053
【図５２】
2019006261.tif 000054
【図５３】
2019006261.tif 000055
【図５４】
2019006261.tif 000056
【図５５】
2019006261.tif 000057
【図５６】
2019006261.tif 000058
【図５７】
2019006261.tif 000059
【図５８】
2019006261.tif 000060
【図５９】
2019006261.tif 000061
【図６０】
2019006261.tif 000062
【図６１】
2019006261.tif 000063
【図６２】
2019006261.tif 000064
【図６３】
2019006261.tif 000065
【図６４】
2019006261.tif 000066
【図６５】
2019006261.tif 000067
【図６６】
2019006261.tif 000068
【図６７】
2019006261.tif 000069
【図６８】
2019006261.tif 000070
【図６９】
2019006261.tif 000071
【図７０】
2019006261.tif 000072
【図７１】
2019006261.tif 000073
【図７２】
2019006261.tif 000074